(57)【要約】【課題】化粧料の補給を容易に行うことができ、かつ適量の化粧料を取ることが可能な化粧料容器を提供すること。【解決手段】化粧料を底部に収納する化粧料容器において、化粧料を収納する容器本体と、複数の小穴と化粧料の補給用開口とが形成される中皿と、前記中皿の底板部と重なるように回転可能に取り付けられ、複数の小穴と化粧料の補給用開口とが形成される回転部材と、を有することを特徴とする。【選択図】  図１
2004222852.tif 000002
【特許請求の範囲】
【請求項１】
化粧料を底部に収納する化粧料容器において、
化粧料を収納する容器本体と、該容器本体に嵌合し複数の小穴と化粧料の補給用開口とが形成される中皿と、
前記中皿の底板部と重なるように回転可能に取り付けられ、複数の小穴と化粧料の補給用開口とが形成される回転部材と、
を有することを特徴とする化粧料容器。
【請求項２】
請求項１に記載の化粧料容器において、
前記回転部材の補給用開口の一部に、余剰の化粧料を掻き落とすための段差を形成することを特徴とする化粧料容器。
【請求項３】
請求項１又は２に記載の化粧料容器において、
前記回転部材の小穴と前記中皿の補給用開口とが一致する第１の回転位置と、前記回転部材の補給用開口と前記中皿の補給用開口とが一致する第２の回転位置と、に位置決めするストッパーを、前記中皿の一部に設けたことを特徴とする化粧料容器。
【発明の詳細な説明】
【０００１】
【発明の属する技術分野】
本発明はパウダー状の化粧料を収納する化粧料容器に関し、特に化粧料を補給することのできる化粧料容器に関する。
【０００２】
【従来の技術】
フェイスパウダー等のパウダー状の化粧料を収納する化粧料容器は、化粧料が収納される容器本体と、該容器本体に蓋をする蓋体とから構成される。また、容器本体には、その底部に化粧料を収納するレフィル容器が着脱可能に配置され、該レフィル容器の上部にパフを保持するための穴空き中皿が配置される。尚、化粧料容器の穴空き中皿は、粉漏れ防止等の理由から、容器ときつく嵌合しているのが通常である。
【０００３】
化粧料容器の使用時には、穴空き中皿の小穴から浮き上がった化粧料を、穴空き中皿に置いたパフにより保持して使用する。そして、化粧料を使用することでレフィル容器内の化粧料がなくなると、使用者は容器本体から穴空き中皿を外し、容器本体の底部に配置されているレフィル容器ごと交換している（例えば、特許文献１参照。）。
【０００４】
【特許文献１】
特開２０００−１２５９２８
【０００５】
【発明が解決しようとする課題】
しかしながら上記従来の技術においては、使用者が使用後のレフィル容器を交換する際には、穴空き中皿を外した後、更にレフィル容器を取り外す必要がある。ここで上記のように、レフィル容器は、きつく容器本体に嵌め込まれているため、レフィル容器を取り外す作業が困難になるという問題があった。
【０００６】
また、化粧料容器の運搬時などに、化粧料が小穴から過剰に浮き出し、パフに過剰の化粧料が付着してしまうことがあった。この場合、従来はパフに付着した余剰の化粧料を掻き落とす手段がなく、穴空き中皿の側面を使うなどしていたために、容器内が汚れてしまうという問題もあった。
【０００７】
本発明の目的は、化粧料の補給を容易に行うことができ、かつ適量の化粧料を取ることが可能な化粧料容器を提供することである。
【０００８】
【課題を解決するための手段】
上記目的を達成するための、本発明の代表的な構成は、化粧料を底部に収納する化粧料容器において、化粧料を収納する容器本体と、複数の小穴と化粧料の補給用開口とが形成される中皿と、前記中皿の底板部と重なるように回転可能に取り付けられ、複数の小穴と化粧料の補給用開口とが形成される回転部材と、を有することを特徴とする。
【０００９】
【発明の実施の形態】
以下、図面を用いて本発明を詳細に説明する。図１は化粧料容器の分解斜視図であり、図２は容器本体の構成を詳細に説明した分解斜視図であり、図３は化粧料容器に化粧料を補給する際の説明図であり、図４はパフに付着した余剰の化粧料を掻き落とす際の説明図である。
【００１０】
図１に示すように、本発明の化粧料容器Ａは、底部３４にパウダー状の化粧料Ｐを収納する容器本体３１と、容器本体３１の開口部に配置される穴空き中皿３２と、穴空き中皿３２の上で回転して中皿の開口部３２ｂの大きさを調節する回転部材３３と、穴空き中皿３２内に収容されるパフ２０と、容器本体３１に蓋をする蓋体１０とを有する。このような構成で、化粧料容器Ａは、未使用時には穴空き中皿３２の中にパフ２０を収納した状態で蓋体１０にて閉じられる。
【００１１】
容器本体３１、穴空き中皿３２及び回転部材３３の詳細構成について分解斜視図を用いて説明する。図２に示すように、容器本体３１は、ガラスやプラスチックから構成され、底部３４に化粧料Ｐを収納する。穴空き中皿３２は、プラスチックや金属で構成され、容器本体３１の開口部３１ａに中皿縁部３２ｄを掛け、中皿側部３２ｅを容器本体３１の内縁に嵌合させて容器本体３１に固定する。また、穴空き中皿３２の底板の軸穴３２ｃを除いた約半分には複数の小穴３２ａが配設され、残りの半分には半月状の補給用開口３２ｂが配設される。また、穴空き中皿３２の底板の中央には回転部材３３の回転中心となる軸穴３２ｃが配設される。
【００１２】
回転部材３３は、穴空き中皿３２と同様の部材を使用し、１〜２ｍｍ程度の厚みをもった部材である。回転部材３３には、穴空き中皿３２と同様に複数の小穴３３ａと半月状の補給用開口３３ｂが配設される。また、回転部材３３を、穴空き中皿３２の軸穴３２ｃに挿通させて回転軸とする軸部３３ｃがあり、回転部材３３を回転させやすいように取手３３ｄが配設されている。尚、軸部３３ｃには軸穴３２ｃと一体に形成するために逆三角形形状の抜け止めが形成されている。こうして、回転部材３３は、穴空き中皿３２の軸穴３２ｃを中心に回転自在に一体的に構成されている。
【００１３】
このような構成により、本発明の化粧料容器Ａは、パフ２０を穴空き中皿３２上に保持し、小穴３２ａ、３３ａより浮き出したパウダー状の化粧料Ｐをパフ２０に供給することができる。また、穴空き中皿３２の軸穴３２ｃと回転部材３３の軸部３３ｃとが係合することにより、回転部材３３は穴空き中皿３２上で回転自在に配設される。このため、使用者が取手３３ｄをつまんで回転部材３３を軸を中心に回転させ、補給用開口３３ｂを補給用開口３２ｂと合致させることで、半月状の大きな補給用開口を得ることができる。
【００１４】
通常の使用状態では、穴空き中皿３２の補給用開口３２ｂと回転部材３３の小穴３３ａとが一致する（第１の回転位置）ことにより、小穴３３ａが穴空き中皿３２の底板の全面に開口するので、パフ２０全体にムラなく化粧料を付着させることができる。
【００１５】
化粧料容器Ａ内部の化粧料Ｐを補給する際の動作を、図３を用いて説明する。まず、化粧料容器の容器本体３１に化粧料Ｐの補給をする際には、使用者は取手３３ｄをつまんで、回転部材３３を１８０°回転させる。すると図３（ａ）に示すように、補給用開口３２ｂと補給用開口３３ｂとが合致し、大きな半月状の開口が中皿底部に形成される（第２の回転位置）。このため使用者は、図３（ｂ）に示すように、化粧料容器Ａとは別個の補給用容器Ｂに収納された化粧料Ｐを、合致した補給用開口３２ｂ、３３ｂから容器本体３１の底部３４に容易に補給することができる。
【００１６】
このように、使用者が化粧料容器Ａに化粧料Ｐを補給する際に、回転部材３３を回転させるのみの動作で化粧料Ｐを補給可能な状態にすることができ、穴空き中皿３２を取り外す必要がなくなる。このため、容器本体３１と穴空き中皿３２との嵌合をきつくすることができ、化粧料Ｐの漏れを防止することができる。
【００１７】
また、容器本体３１の底部３４に、化粧料Ｐを入れるために従来例で示したようなレフィル容器を必要としないため、レフィル容器を配置するためのスペースを化粧料Ｐを収納するスペースとして確保することができ、同じ化粧料容器の大きさであっても、より多くの化粧料Ｐを収納することができる。また、レフィル容器を配置するための構造が必要ないため、化粧料容器の構成が簡単になり、従来例よりも低コストで化粧料容器を提供することができる。
【００１８】
次に、化粧料容器Ａの使用時、パフ２０に付いた余剰の化粧料Ｐを掻き取る際の動作を、図４を用いて説明する。まず、図４（ａ）に示すように、通常時の化粧料容器Ａは、穴空き中皿３２と回転部材３３との位置が、互いの補給用開口３２ｂ、３３ｂを塞ぐように構成されている。このため、容器本体３１の底部３４に収納された化粧料Ｐは、小穴３２ａ、３３ａから浮き出て、パフ２０に保持される。このとき、過剰の化粧料Ｐがパフ２０に保持される場合がある。
【００１９】
そこで、本発明の化粧料容器Ａには、回転部材３３の補給用開口３３ｂにおいて、半月状の弦にあたる位置に掻取傾斜面３３ｅを形成する。また、上述したように、回転部材３３は１〜２ｍｍ程度の厚みがあるため、掻取傾斜面３３ｅの上端には、鈍角のエッジ部ができる。このため、使用者がパフ２０についた余剰の化粧料Ｐを掻き落とす際には、図４（ｂ）に示すように、パフ２０についた余剰の化粧料Ｐを掻取傾斜面３３ｅの前記エッジ部に当接させて掻き落とすことができる。ここで、エッジ部が鈍角であるため、余剰の化粧料Ｐを滑らかに掻き取ることができ、かつパフ２０を傷めることはない。
【００２０】
以上のように、本発明においては、穴空き中皿３２の上部に、半月状の補給用開口を有する回転部材３３を回転可能に配置した。このため回転部材３３を回転させることで、通常時には小穴から浮き出した化粧料をパフに保持する構成とし、補給時には補給用の開口から化粧料を補給する構成とすることができる。また、回転部材３３の半月状の開口の弦の部分に掻取傾斜面３３ｅを形成することで、余剰の化粧料を掻き取ることができる。
【００２１】
（他の実施形態）
前述した実施形態においては、補給用開口３３ｂに掻取傾斜面３３ｅを形成し、エッジ部を鈍角としてパフ２０についた余剰の化粧料Ｐを滑らかに掻き落とす構成としたが、掻取傾斜面３３ｅが必ずしも必要ということはない。回転部材３３には１〜２ｍｍ程度の厚みがあり、穴空き中皿３２と回転部材３３との間には段差が形成されるため、パフ２０についた余剰の化粧料を掻き落とすという目的は十分に達成できるからである。
【００２２】
前述した実施形態においては、取手３３ｄを摘んで、使用者が自ら回転部材３３の位置合わせをする構成としたが、これに限るものではなく、図５に示すように、通常時と補給時に取手３３ｄがくる位置に、穴空き中皿の側部３２ｅにストッパー３２ｆを配設してもよい。この構成とすることで、通常時と補給時において、回転部材３３を固定することができるため、特に補給時に開口の位置がずれて開口が狭まることがない。
【００２３】
前述した実施形態においては、回転部材３３を穴空き中皿３２の底板の上部に取り付ける構成としたが、これに限るものではなく、穴空き中皿３２の底板の下部に取り付ける構成としてもよい。
【００２４】
【発明の効果】
以上のように、本発明においては、化粧料を底部に収納する化粧料容器において、化粧料の上部でパフを保持し、複数の小穴と化粧料の補給用開口とが形成される穴空き中皿と、前記中皿の底板部と重なるように回転可能に取り付けられ、複数の小穴と化粧料の補給用開口とが形成される回転部材と、を有することを特徴とする。
【００２５】
このため、前記穴空き中皿と前記回転部材の補給用開口を合致させることで、レフィル容器を取り替えることなく、回転部材の回転動作のみで補給用の大きな開口が得られるため、化粧料の補給を容易に行うことができる。また、前記回転部材は所定の段差を持っているため、前記回転部材の補給用開口の端部にパフを押し付けてしごくことで、適量の化粧料を取ることができる。
【図面の簡単な説明】
【図１】化粧料容器の分解斜視図である。
【図２】容器本体の構成を詳細に説明した分解斜視図である。
【図３】化粧料容器に化粧料を補給する際の説明図である。
【図４】パフに付着した余剰の化粧料を掻き落とす際の説明図である。
【図５】化粧料容器の他の実施形態の斜視図である。
【符号の説明】
Ａ  …化粧料容器、Ｂ  …補給用容器、Ｐ  …化粧料、
１０  …蓋体、２０  …パフ、３１  …容器本体、３１ａ  …開口部、
３２  …穴空き中皿、３２ａ  …小穴、３２ｂ  …補給用開口、３２ｃ  …軸穴、
３２ｄ  …中皿縁部、３２ｅ  …中皿側部、３２ｆ  …ストッパー、
３３  …回転部材、３３ａ  …小穴、３３ｂ  …補給用開口、３３ｃ  …軸部、
３３ｄ  …取手、３３ｅ  …掻取傾斜面、
３４  …底部
【図１】
2004222852.tif 000003
【図２】
2004222852.tif 000004
【図３】
2004222852.tif 000005
【図４】
2004222852.tif 000006
【図５】
2004222852.tif 000007